(57)【要約】【解決手段】開示される実施形態は、多機能電子デバイスを提供する方法及びデバイスを提供する。１つの局面に従うと、開示される方法は、デバイスが展開されている方向を検出し、前記デバイスが展開されている方向に基づいて動作モードを起動するために提供する。別の局面に従うと、開示される方法は、デバイスが展開されている方向を検出し、前記デバイスが展開されている方向に基づいて、ディスプレイ上に表示される情報を配置するために提供する。【選択図】      図１
2008506315.tif 000002
【特許請求の範囲】
【請求項１】
異なる方向に展開可能な多機能電子デバイスのための動作モードを提供する方法であって、
前記デバイスが展開された方向を検出することと、
前記デバイスが展開された方向に基づいて、動作モードを提供することとを備える方法。
【請求項２】
前記動作モードは電話モードを含む請求項１の方法。
【請求項３】
前記動作モードはＰＤＡモードを含む請求項１の方法。
【請求項４】
前記動作モードはゲームモードを含む請求項１の方法。
【請求項５】
前記動作モードはマルチメディアプレーヤモードを含む請求項１の方法。
【請求項６】
前記方向は垂直方向を含む請求項１の方法。
【請求項７】
前記方向は水平方向を含む請求項１の方法。
【請求項８】
異なる方向に展開可能な多機能電子デバイス上に情報を表す方法であって、
前記デバイスが展開された方向を検出することと、
前記デバイスが展開された方向に基づいて、ディスプレイ上に表される情報を配置することとを備える方法。
【請求項９】
前記配置することは、情報を横長に配置する請求項８の方法。
【請求項１０】
前記配置することは、情報を縦長に配置する請求項８の方法。
【請求項１１】
前記方向は垂直方向を含む請求項８の方法。
【請求項１２】
前記方向は水平方向を含む請求項８の方法。
【請求項１３】
電子デバイスであって、
複数の方向に移動可能な第１のモジュールレイヤと、
前記第１のモジュールレイヤに対して移動可能に接続された第２のモジュールレイヤとを備え、
前記第１のモジュールレイヤは、機能コンポーネントの第１のセットを含み、前記第２のモジュールレイヤは、機能コンポーネントの第２のセットを含み、前記デバイスは、前記機能コンポーネントの第１のセットを利用する第１の動作モードと、前記機能コンポーネントの第２のセットの第１のサブセットを利用する第２の動作モードと、前記機能コンポーネントの第２のセット第２のサブセットを利用する第３の動作モードとを備え、各動作モードは、前記第１のモジュールレイヤと前記第２のモジュールレイヤとの予め定めた相対位置に基づいて起動される電子デバイス。
【請求項１４】
前記第１の動作モード、前記第２の動作モード、及び前記第３の動作モードは、オーディオ通信モード、テキスト通信モード、携帯情報端末モード、ゲームモード、地球測位システム（ＧＰＳ）モード、遠隔制御デバイスモード、オーディオプレーヤ又はレコーダモード、静的又は動的なビデオプレーヤ又はレコーダモード、及び計算機モードからなるグループから選択される請求項１３のデバイス。
【請求項１５】
前記機能コンポーネントの第２のセットの第１のサブセットは、前記第１のモジュールレイヤが、第１の方向において前記第２のモジュールレイヤに対して移動し、もって、前記第２の動作モードを定義する場合に起動される請求項１３のデバイス。
【請求項１６】
前記機能コンポーネントの第２のセットの第２のサブセットは、前記第１のモジュールレイヤが、第２の方向において前記第２のモジュールレイヤに対して移動し、もって、前記第３の動作モードを定義する場合に起動される請求項１３のデバイス。
【請求項１７】
請求項１３のデバイスにおいて更に、前記第１のモジュールレイヤと前記第２のモジュールレイヤとを接続する第１のコネクタを備え、前記第１のコネクタは、前記第１の方向における少なくとも回転移動を可能にするデバイス。
【請求項１８】
請求項１７のデバイスにおいて更に、前記第１のモジュールレイヤと前記第２のモジュールレイヤとを接続する第２のコネクタを備え、前記第２のコネクタは、前記第２の方向における少なくとも回転移動を可能にするデバイス。
【請求項１９】
請求項１８のデバイスにおいて、前記第１の方向と前記第２の方向とは実質的に垂直となるデバイス。
【請求項２０】
請求項１３のデバイスにおいて更に、無線信号を受信及び送信するための入力端子及び出力端子をそれぞれ有する通信モジュールを備えるデバイス。
【請求項２１】
請求項１３のデバイスにおいて更に、ユーザに情報を提示するディスプレイを備えるデバイス。
【請求項２２】
前記情報は、前記第１のモジュールレイヤが、前記第２のモジュールレイヤに対して前記第１の方向で移動した場合には第１の方位で、前記第１のモジュールレイヤが、前記第２のモジュールレイヤに対して前記第２の方向で移動した場合には第２の方位で提示される請求項２１のデバイス。
【請求項２３】
ポータブル電子デバイスであって、
複数の方向に移動可能な第１のコンポーネントレイヤと、
機能コンポーネントのセットを有する第２のコンポーネントレイヤとを備え、
前記第２のコンポーネントレイヤに対する第１の方向における前記第１のコンポーネントレイヤの移動が、第１の動作モードで使用するために前記機能コンポーネントのセットの第１のサブセットを起動し、前記第２のコンポーネントレイヤに対する第２の方向における前記第１のコンポーネントレイヤの移動が、第２の動作モードで使用するために前記機能コンポーネントのセットの第２のサブセットを起動できるように前記第１のコンポーネントレイヤが、前記第２のコンポーネントレイヤに移動可能に接続されているポータブル電子デバイス。
【請求項２４】
電子デバイスの移動可能なレイヤ間の相対的な移動を制御する方法であって、
第１のモジュールレイヤの第１の方向における相対移動が、機能コンポーネントのセットの第１のサブセットを起動できるように、前記第１のモジュールレイヤを、前記機能コンポーネントのセットを有する第２のモジュールレイヤに移動可能に接続することと、
前記第１のモジュールレイヤの第２の方向における相対移動が、前記機能コンポーネントのセットの第２のサブセットを起動できるように、前記第１のモジュールレイヤを、前記第２のモジュールレイヤに移動可能に接続することとを備える方法。
【請求項２５】
請求項２４の方法において更に、
前記第１のモジュールレイヤの前記第１の方向における移動の間、前記第１のモジュールレイヤの前記第２の方向における移動を阻止することと、
前記第１のモジュールレイヤの前記第２の方向における移動の間、前記第１のモジュールレイヤの前記第１の方向における移動を阻止することとを備える方法。
【請求項２６】
多目的電子デバイスを提供する方法であって、
電子デバイスが複数の動作モードのうちの１つの中で展開されていることを感知することと、
前記電子デバイスの展開された動作モードに関連した機能コンポーネントのセットを起動することと、
前記電子デバイスの展開された動作モードに依存して、予め定めた方位で情報を表示することとを備える方法。
【請求項２７】
異なる方向に展開可能な多機能電子デバイスのための動作モードを提供する装置であって、
前記デバイスが展開された方向を検出する手段と、
前記デバイスが展開された方向に基づいて、動作モードを提供する手段とを備える装置。
【請求項２８】
異なる方向に展開可能な多機能電子デバイス上に情報を提示する装置であって、
前記デバイスが展開された方向を検出する手段と、
前記デバイスが展開された方向に基づいて、ディスプレイ上に表示される情報を配置する手段とを備える装置。
【請求項２９】
多目的電子デバイスを提供する装置であって、
電子デバイスが複数の運用のモードのうちの１つの中で展開されたことを感知する手段と、
前記電子デバイスの展開された動作モードに関連した機能コンポーネントのセットを起動する手段と、
前記電子デバイスの展開された動作モードに依存して、予め定めた方位で情報を表示する手段とを備える装置。
【請求項３０】
電子デバイスの移動可能なレイヤ間の相対的な移動を制御する装置であって、
第１のモジュールレイヤの第１の方向における相対移動が、機能コンポーネントのセットの第１のサブセットを起動できるように、前記第１のモジュールレイヤを、前記機能コンポーネントのセットを有する第２のモジュールレイヤに移動可能に接続する手段と、
前記第１のモジュールレイヤの第２の方向における相対移動が、前記機能コンポーネントのセットの第２のサブセットを起動できるように、前記第１のモジュールレイヤを、前記第２のモジュールレイヤに移動可能に接続する手段とを備える装置。
【発明の詳細な説明】
【技術分野】
【０００１】
開示される実施形態は、ポータブル電子デバイスに関する。更に詳しくは、開示される実施形態は、デバイスが展開されている方向に依存して、異なる機能及びディスプレイ方位を示す多機能電子デバイスに関する。
【背景技術】
【０００２】
モバイル電話、ページャ、ハンドヘルドコンピュータ、携帯情報端末（ＰＤＡ）及びハンドヘルドゲームデバイスのようなポータブル電子デバイスは、ビジネス及び個人使用の両方で益々ポピュラーになっている。これらのデバイスの１つの利点は、それらの小さなサイズ、軽量、バッテリ駆動すなわちコードレスによる動作、更にいくつかの場合における無線通信機能による可搬性である。これらの特徴によって、これらポータブル電子デバイスは、いつどこでもユーザが望む場合に利用可能となった。
【０００３】
しかしながら、これらデバイスの人気の高まりによって、１人のユーザが、１度にこれらのデバイスの２つ以上を携帯することも珍しくない。例えば、ユーザは、ポケットにＰＤＡを入れ、ゲームデバイスをバッグに入れて運びながら、モバイル電話と２方式ページャをベルトにストラップすることもできる。そのため、個別のデバイスを持つことは、これらポータブルデバイスによって提供される１を超える、すなわち２つの機能を必要とするユーザに対して問題を引き起こす。
【０００４】
設計者は、このデバイス拡散の問題を理解し、多くのサービス又は機能を、１つのデバイスに組み入れようと試みた。これにより、ユーザは、所望する多くのサービス又は機能に対応する多くの動作モードを有する単一のデバイスのみを必要とすればよい。しかしながら、単一のデバイスに多くの動作モードを組み入れる１つの欠点は、一般に、各サービス又は機能は、全体形状、コンポーネント数、及び具体的タイプを含む設定された構成を持っているということである。例えば、モバイル電話は、一般に、０〜９の数字の各々のためのキー、“＊”及び“＃”のキャラクタの各々のためのキー、「送信」、「通話」、「終了」、オン／オフ及び「メニュー」の各々のためのキー、及び少なくとも１つのナビゲーションキーといったいくつかのキーを含む電話キーパッドを含んでいる。更に、モバイル電話は、一般に、ディスプレイユニットがキーパッドの上に位置するように、かつディスプレイの英数字又はグラフィック出力が、この方位でユーザによって読まれるように、垂直軸に沿って伸びた状態で使用されるように配置される。対照的に、ゲームデバイス又はマルチメディアプレーヤデバイスは一般に、各人差し指によって使用される１又は２のボタンに加えて、左手用のナビゲーションキーと、右手用の２乃至６のボタンとを含んでいる。更に、ゲームデバイス又はマルチメディア受信デバイスは、一般に、使用中に見られる長さよりも幅広なディスプレイを有している。サービス／機能の組み合わせを試みる場合、設計者は、これら確立された配置及びコンポーネントのセットが効率的に搭載されうる表面領域を必要とする。表面領域に対する増加要求は、コンパクトでポータブルなサイズを有するデバイスを維持するという全体目標と競合する。
【０００５】
したがって、コンパクトでポータブルなサイズを有しながら、複数の機能及びデバイス方位を有するポータブル電子デバイスに対するニーズがある。
【発明の開示】
【０００６】
本特許出願は、２００４年７月９日に出願され、本明細書の譲受人に譲渡され、参照によって本明細書に明確に組み込まれた「ポータブルゲームデバイスとして使用されるデュアルホルダヒンジを備えたモバイル電話」（Mobile Phone with Dual Folder Hinge for Use as a Portable Gaming Device）と題された仮出願６０／５８６，６２６番の優先権を主張する。
【０００７】
本出願は、本願の譲受人に譲渡され、参照によって本明細書に組み込まれる以下の米国特許出願と関連している。
【０００８】
２００３年１１月１９日に出願され、代理人整理番号０４０１０１であり、「多目的キーボードを備えたポータブルデバイス」（A Portable Device with Versatile Keyboard）と題された出願番号１０／７１８，１２５。
【０００９】
開示される実施形態は、多機能電子デバイスを提供する。１つの局面に従うと、開示される方法は、デバイスが展開されている方向を検出し、デバイスが展開されている方向に基づいて動作モードを提供するために提供される。
【００１０】
別の局面に従うと、開示される方法は、デバイスが展開された方向を検出し、前記デバイスが展開された方向に基づいて、ディスプレイ上に表示される情報を配置させるために提供される。
【００１１】
また別の局面に従うと、開示される電子デバイスは、複数の方向に移動可能な第１のコンポーネントレイヤと、第２のコンポーネントレイヤとを含む。第２のコンポーネントレイヤは、第１のコンポーネントレイヤに対して移動可能に接続されている。これによって、第１の方向における第１のコンポーネントレイヤの第２のコンポーネントレイヤに対する移動は、第１の動作モードとともに使用される機能コンポーネントの第１のセットを起動する。そして、第２の方向における第１のコンポーネントレイヤの第２のコンポーネントレイヤに対する移動は、第２の動作モードとともに使用される機能コンポーネントの第２のセットを起動する。
【００１２】
開示される実施形態の更なる局面及び利点は、以下に続く記述内に部分的に述べられ、一部は、本記載から明らかであるか、あるいは開示する実施形態の実現によって教示される。開示される実施形態の局面及び利点は、特許請求の範囲において特別に指摘された手段及び組み合わせによって実現及び達成されうる。
【発明を実施するための最良の形態】
【００１３】
開示される実施形態は、同一名称が同一要素を示す開示される実施形態を例示するためであって、限定するためではなく、提供された添付図面とともに以下に記載される。
【００１４】
開示される実施形態は、複数の機能及び多目的なユーザインタフェースを有する電子デバイスを提供する方法及びデバイスを含んでいる。図１乃至図３は、１つの実施形態において、多くの相互接続された移動可能なモジュールレイヤ１４，１６を有する電子デバイス１２を例示する。モジュールレイヤ１４，１６は、電子デバイス１２に、多くの機能的能力及びディスプレイ配置を与える。１つの実施形態では、例えば図１に示すように、電子デバイス１２は、第１のモジュールレイヤ１４の外側に配置された動作コンポーネントの第１のセット２０が利用される第１の、すなわちニュートラルな位置にモジュールレイヤ１４，１６が位置する場合、例えばマルチメディア受信デバイス、全地球測位システム（ＧＰＳ）、遠隔制御デバイス、オーディオプレーヤ又はレコーダ、静的又は動的なビデオプレーヤ又はレコーダ、ページャ、及び計算機のような第１の動作モードを有する。１つの実施形態では、図１において点線で示されるように、第１のモジュールレイヤ１４は、第１の方向２８あるいは第２の方向３４に展開されうる。図２に示すように、電子デバイス１２は、第１のモジュールレイヤ１４が、第２のモジュールレイヤ１６に対して第１の方向２８に動かされた場合、第２の動作モードとともに使用するために第１のモジュールレイヤ１４の内側に配置された機能コンポーネントの第２のセット３１の全て又は第１のサブセットを起動する例えば電話又はオーディオ通信モード、ＰＤＡ、又はテキスト通信モードのような第２の動作モードを有している。更に、図３に示すように、電子デバイス１２は、第１のモジュールレイヤ１４が、第２のモジュールレイヤ１６に対して第２の方向３４に動かされた場合、第３の動作モードとともに使用するために第１のモジュールレイヤ１４の内側に配置された機能コンポーネントの第２のセット３１の全て又は第２のサブセットを起動する例えばＰＤＡ、テキスト通信モード、ゲームモード、又はマルチメディアプレーヤモードのような第３の動作モードを有している。
【００１５】
２つのレイヤを含むように示されているが、電子デバイス１２は、それぞれが１つ又は複数の動作モードに関連する機能コンポーネントの１つ又は複数のセットを含む任意の複数のモジュールレイヤを含みうる。この１つ又は複数の動作モードは、デバイス１２を、モバイル、衛星又は無線電話あるいはオーディオ通信デバイス、ゲームデバイス、携帯情報端末（「ＰＤＡ」）、ページャ又はテキスト通信デバイス、全地球測位システム（「ＧＰＳ」）、他のシステムを制御するための遠隔制御デバイス、例えばＭＰ３プレーヤやデジタルレコーダのようなオーディオプレーヤ及び／又はレコーダデバイス、静的又は動的なビデオプレーヤ及び／又はレコーダデバイス、計算デバイス等のうちの１つ又は複数として利用することを可能にする。例えば、モバイル電話として利用される場合、デバイス１２は、符号分割多元接続（「ＣＤＭＡ」）、広帯域符号分割多元接続（「ＷＣＤＭＡ」）、グローバル移動体通信システム（「ＧＳＭ」）、改良モバイル電話サービス（「ＡＭＰＳ」）、及び時分割多元接続（「ＴＤＭＡ」）のようなプロトコルを使用して、通信に関連する信号を送信及び／又は受信するハードウェア、ソフトウェア及び／又はファームウェアを含みうる。
【００１６】
モジュールレイヤ１４，１６のようなデバイス１２の各レイヤに関連する機能コンポーネントの１つ又は複数のセットは、機能コンポーネントの１つ又は複数の種類を含んでいるかもしれない。これらコンポーネントのセットは、例えば入出力タイプのメカニズムのような外部コンポーネントと、回路基板や、デバイス１２の１つ又は複数の動作モードのために構成されたトランジスタ、チップ、ファームウェア、メモリ、ソフトウェア、及び処理ユニットのような内部コンポーネントとを含む。例えば、１つの実施形態によれば、図２で示されるコンポーネントは、例えば液晶ディスプレイ、発光ダイオードディスプレイ、有機的エレクトロルミネセンスディスプレイ、タッチスクリーンなどのような任意のタイプのテキスト及び／又はグラフィックによる出力装置を含むディスプレイ２２を含む。これらコンポーネントは更に、例えばナビゲーションキー２４と、ディスプレイ２２上のグラフィックの動きの制御に関連する、あるいはデバイス１２への入力信号の生成に関連するいくつかの単一又は複数の機能キー２６と、人差し指のためのいくつかの単一又は複数の機能ボタン２７と、デバイス１２のステータスをシグナルする１つ又は複数の表示ライトのような方向性キーパッド、トグルキー、ジョイスティック、ポテンシオメータ等を含んでいる。更に、これらコンポーネントは、オン／オフ又はハングアップキー７２や、通話受諾／送信キー７４のような動作キーを含んでいる（図２）。また、これらコンポーネントは、近距離領域及び／又は遠距離領域スピーカを含み、オーディオ信号を出力するためのオーディオスピーカ６６（図２）と、近距離領域スピーカ６６のスピーカの音量の増減のためのボリュームキーと、ウォーキートーキー（walkie-talkie）タイプの電話モードにおいて音声信号を送信するためのプッシュトゥトークボタンと、ボイスレコーダ機能を起動するためのレコードキーと、遠隔のオーディオスピーカ及び／又はマイクロホン接続機構を受け入れるためのスピーカ／マイク端子と、静止画像又はビデオ画像を撮影するためのカメラ機構と、デバイス１２の設定、修理、又はテストのために、例えば無線周波数（ＲＦ）シグナリング機器のような機器の接続テスト又はモニタリングするテストポートと、赤外線（ＩＲ）波を介してデータを送受信する赤外線（ＩＲ）トランシーバと、デバイス１２にコードレス電源を供給するバッテリパックと、デバイス１２の動作、及び／又はバッテリパックの交換、及びデータの送受信のために電源へのハードワイヤ接続を確立するための電力／データコネクタと、デバイス１２の１又は複数のモードに関連する通信信号を送受信するアンテナ機構９４とをも含む。デバイス１２の動作モードのために望まれる構成を達成するために、デバイス１２に関連するコンポーネントは、任意の組み合わせで、及び任意のレイヤ上で構成されうることが注目されるべきである。
【００１７】
動作においては、１つの実施形態によれば、デバイス１２の様々な動作モードは、デバイス１２の各レイヤの相対的な位置によって制御される。レイヤ間の相対的な移動を制御する方法は、各レイヤに関連した様々な機能的なコンポーネントを起動する相対移動を可能にするために、様々なモジュールレイヤを移動可能に相互接続することを含む。更に、個々の動作モードを個別に起動するために、デバイスは更に、予め定めたモードの起動中に予め定めたレイヤ間の移動を阻止するロック機構を含んでいる。
【００１８】
１つの実施形態では、例えば、図１に示すように、電子デバイス１２の第１の動作モードは、デバイス１２の外側にある１つ又は予め定めたキーのシーケンスを押すことによって起動される。例えば、第１の動作モードは、カメラモード、ＧＰＳモード、計算機モード、データ転送モード、及び／又は電話通話呼び出し／発信者ＩＤ待機モードのうちの１又は複数に対応しうる。このモードの所望の機能を達成するために、コンポーネント２０の第１のセットは、様々な組み合わせで利用されうる。更に、コンポーネント２０の第１のセットは、例えば、通話呼び出しを受けると、出力が生成される電話待機モード、ユーザが静止画又はビデオを撮るためにカメラを操作しうるカメラモード、及びユーザが静止画又はビデオに関連するオーディオセグメントを記録しうる記録モードのような１又は複数のモードにおいて同時に機能しうる。更に、データ転送モードでは、テストポートと、ＩＲトランシーバと、電力及び／又はデータコネクタとのうちの１又は複数によって、データがデバイス１２から送られたり、受信される。
【００１９】
１つの実施形態では、ユーザは、上部モジュールレイヤ１４を第１の方向２８（垂直又は上方）に例えばフリップ又はスライドさせることにより動かし、キーパッド３１を露出することによって、例えば電話モード（図２）のような第２の動作モードを起動する。この起動ステップの間、ロック機構は、更なる動作モードの起動に関連するレイヤ間の更なる相対的な移動を阻止する。電話モードにおいて、デバイス１２内のハードウェア、ソフトウェア、及び／又はファームウェアは、該モードの起動を認識し、例えば縦方向のキーパッド３１と組み合わせて使用するために並べられるように、ディスプレイ２２の出力を配置する。更に、デバイス１２は、例えば無線信号の送受信のための通信ハードウェア及びソフトウェアのように、該モードの機能に関連する予め定めた内部回路を起動させる。ユーザは、マイクロホン３２へ話しかけ、スピーカ６６を聞くことにより通信しうる。更に、電話に関連する機能は、キーパッド３１、オフキー７２、及び／又は送信キー７４の全て又は第１のサブセットにおけるキーストロークによって、あるいはキー２４，２６，２７を用いることによって実施されうる。このモードは、例えば、上部モジュールレイヤ１４を、ニュートラル位置（図１）に、フリップ又はスライド等により動かして戻すか、又はオフキー７２を押すことによってオフされる。
【００２０】
図３に示すように、ユーザは、上部モジュールレイヤ１４を第２の方向３４にフリップ又はスライド等により（水平又は側面に）動かすことにより、ゲーム又はマルチメディアプレーヤモードのような第３の動作モードを起動する。これによって、該モードのためのキーパッド３１の全て又は第２のサブセットを起動する。例えば、「０」および「８」のような拡大キー２８、ナビゲーションキー２４，２６、および人差し指キー２７は、該モードのために与えられる。これによって、デバイスは、片方の手によって便利に保持され、ページングのために、片方又は両方の親指又は指によって簡単に操作されるようになる。ゲームデバイスとして操作される場合、幅が最長の寸法になるようにデバイス１２は保持される。更に、このモードの起動に関連して、デバイス１２は、選択された動作モードに基づいて、予め定めた方向に、ディスプレイ２２から出力されるテキスト及び／又はグラフィックを表す。したがって、例えば、ゲームモードにおけるテキスト／グラフィックは、電話モードにおける、すなわち横方向におけるテキスト／グラフィックに対して９０°に配置されうる。
【００２１】
このモードの動作中、ロック機構３６は、更なる動作モードの起動に関連する残りのレイヤ間の更なる相対的な移動を阻止する。このモードでは、デバイス１２内のハードウェア、ソフトウェア、及び／又はファームウェアは、該モードの起動を認識し、キーパッド３１と組み合わせて使用するために並べられるように、すなわち横方向に、ディスプレイ２２の出力を配置する。更に、デバイス１２は、無線信号を送受信するための通信ハードウェア及びソフトウェアのように、該モードの機能に関連した予め定めた内部回路を起動する。このモードは、フリップ又はスライドによって上部モジュールレイヤ１４を動かしてニュートラル位置に戻すか、オフキー７２を押すことによってオフされる。
【００２２】
モジュールの動きを感知する１つの方法は、ホール効果センサの使用による。ホール効果センサは、センサのすぐ近くの磁界の動きに関して電圧を生成する。この電圧は、デバイスによって検出され、モジュールの移動の兆候として使用される。ホール効果センサを使用する利点は、信頼性を含んでいる。また、時間とともにすり減る機械的要素が存在しない。
【００２３】
ユーザは、様々な方法でデバイスに情報を入力しうる。ユーザは、タッチセンサ式のディスプレイスクリーン及び／又は認識方法によってデバイス１２に入力を与える。これらの様々な入力手段又はユーザインタフェースのうちのいくつかは、ディスプレイ２２上の情報の機能モード及び／又は構成を変更するために使用されうる。
【００２４】
図４Ａ及び図４Ｂは、図２に示すような第１の方向２８に展開可能な図１の電子デバイスの左側面図及び右側面図をそれぞれ示す。この場合、ロック機能３６が作用し、上部モジュールレイヤ１４が、例えばヒンジのような第１の機構３８によって下部モジュールレイヤ１６に対して移動する。
【００２５】
図５は、第１の方向２８に展開可能な図１の電子デバイスの背面図を例示する。この場合、ロック機構３６が作用し、上部モジュールレイヤ１４が、例えば第１の機構３８によって下部モジュールレイヤ１６に対して移動する。
【００２６】
図６は、第２の方向３４に展開可能な図１の電子デバイスの平面図を例示する。この場合、ロック機構３６が作用せず、上部モジュールレイヤ１４は、例えばヒンジのような第２の機構４０によって下部モジュールレイヤ１６に対して移動する。ロック機構３６を解放することによって、第１のヒンジ機構３８が開放され、第２のヒンジ機構４０が作用する。１つの機構では、ダブルフリップ（回転又は線形）機構が使用され、２つのモジュールレイヤ１４，１６の垂直方向のフリップ移動を可能にする。１つの機構では、ダブルスライド機構が使用され、２つのモジュールレイヤ１４，１６の垂直方向のスライド移動を可能にする。１つの機構では、フリップとスライドの組み合わせ機構が使用され、２つのモジュールレイヤ１４，１６のフリップ移動に垂直なスライド移動を可能にする。この実施形態では、接続機構は、上部モジュールレイヤの移動をフリップするための双方向ヒンジコネクタとして示されるが、これらの接続部材は、１より多い軸に沿った移動、１より多い面、線形及び／又は回転式のフリップ及び／又はスライド移動を含むかもしれないことが注目されるべきである。更に、接続機構３８，４０は、金属、プラスチック、合成物、及びセラミックスを含みうる。また、各モジュールレイヤ１４を統合して、あるいは機械的方法又は化学的方法によって個別に固定されうる。
【００２７】
したがって、記載した実施形態は、異なるキーボード配列を起動し、デバイスが展開される方向に依存して異なるディスプレイ方位を表す多機能電子デバイスを提供するためのデバイス及び方法を提供する。開示された様々な実施形態が例示され記載された一方、本明細書の主題が、これらの実施形態のみに限定されないことが明らかだろう。多くの変形、変更、バリエーション、代用および等価物は、特許請求の範囲に記載されるように開示された実施形態の精神および範囲から逸脱することなく、当該技術における熟練者に明白になるであろう。
【図面の簡単な説明】
【００２８】
【図１】図１は、２方向に展開可能な多機能電子デバイスを例示する。
【図２】図２は、上部モジュールレイヤが下部モジュールレイヤに対して第１の方向に移動し、もって１つの動作モードを起動している図１の電子デバイスを例示する。
【図３】図３は、上部モジュールレイヤが下部モジュールレイヤに対して第２の方向に移動し、もって別の動作モードを起動している図１の電子デバイスを例示する。
【図４Ａ】図４Ａは、図２に示すように、第１の方向に展開可能な図１の電子デバイスの側面図を例示する。
【図４Ｂ】図４Ｂは、図２に示すように、第１の方向に配置可能な図１の電子デバイスの側面図を例示する。
【図５】図５は、図２に示すように、第１の方向に展開可能な図１の電子デバイスの背面図を例示する。
【図６】図６は、図３に示すように、第２の方向に展開可能な図１の電子デバイスの平面図を例示する。
【図１】
2008506315.tif 000003
【図２】
2008506315.tif 000004
【図３】
2008506315.tif 000005
【図４Ａ】
2008506315.tif 000006
【図４Ｂ】
2008506315.tif 000007
【図５】
2008506315.tif 000008
【図６】
2008506315.tif 000009
【国際調査報告】
2008506315.tif 000010
2008506315.tif 000011
2008506315.tif 000012